(57)【要約】【課題】ガラス瓶等の包装に用いられる手提式容器包装箱において、接着剤やホッチキスを用いることなく簡単に組み立てることができ、しかも、容器を確実に保持することができるようにする。【解決手段】前面板２と背面板３とに、それぞれ前面板２及び背面板３を谷折りしたときにガラス瓶を挟み込む窓枠１２ａを設け、また、切起部２１を、前面板２における上端近傍であって、ガラス瓶を包装したときに背面板３における手提用開口７と略同じ高さとなる位置に配した。これにより、前面板２及び背面板３の窓枠１２ａでガラス瓶を挟み込んだ上で、切起部２１を手提用開口７から挿通させて折り曲げ、前面板２と背面板３との上端部同士を係合することができるので、接着剤やホッチキスを用いることなく包装箱１を簡単に組み立てることができる。【選択図】　　　　図２
2004123104.tif 000002
【特許請求の範囲】
【請求項１】
１枚の紙板を所定の折曲線に沿って折り曲げて組み立てることにより容器を包装する手提式容器包装箱であって、
前記容器を挟持する一対の前面板と背面板、及び該前面板と背面板との間に介在されて前記容器が載置される底板を備え、
前記前面板及び背面板と底板との間には第１の折曲線と第２の折曲線とが設けられており、
前記前面板と背面板とは、それぞれ前記第１の折曲線と第２の折曲線とに沿って該前面板及び背面板を谷折りしたときに容器を挟み込む窓枠を有し、容器の一部を露出させる窓部を持ち、
前記前面板と背面板のうちの一方の板は切起部を持ち、他方の板は前記切起部を挿通させることができる大きさの手提用開口を持ち、
前記切起部は、容器を包装したときに、前記一方の板における上端近傍であって、前記他方の板における前記手提用開口と略同じ高さとなる位置に配されていることを特徴とする手提式容器包装箱。
【請求項２】
前記前面板と背面板とは、これらの板を谷折りして容器を包装したときに容器の上端部を包装する位置に、それぞれ小窓、及びこの小窓の上端縁に設けられて容器の上端面に当接される切起当接片を持つことを特徴とする請求項１に記載の手提式容器包装箱。
【請求項３】
前記前面板と背面板のうちの一方の板の上端近傍に舌片が設けられ、他方の板の上端近傍には前記舌片を通すための挿通用開口が設けられ、前記前面板と背面板との上端部同士を係合し得るようにしたことを特徴とする請求項１に記載の手提式容器包装箱。
【請求項４】
前記前面板、背面板及び底板のそれぞれの左右端部に延設して設けられた側板を持ち、
前記前面板、背面板及び底板と前記の各側板との間には、それぞれ第３の折曲線と第４の折曲線とが設けられており、
前記の各側板には、それぞれ前記第１、第２の折曲線にそれぞれ連なる第５、第６の折曲線が設けられており、前記の各側板は、これら第５及び第６の折曲線により前記前面板に延設する前面板側部と、前記底板に延設する底板側部と、前記背面板に延設する背面板側部とに分けられ、
前記前面板側部及び背面板側部には、それぞれ前記第５の折曲線又は前記第６の折曲線と４５度以上６０度以下の角度を成す第７の折曲線が配設されており、
前記第３の折曲線と第４の折曲線とに沿って前記２つの側板を谷折りした上で、前記第１の折曲線と第２の折曲線とに沿って前記前面板及び背面板を谷折りして容器を包装したときに、前記第５の折曲線又は前記第６の折曲線と前記第７の折曲線と前記の各側板の外縁とにより形成される三角形状の折込片が包装箱の内側に折り込まれるようにしたことを特徴とする請求項１に記載の手提式容器包装箱。
【請求項５】
前記底板側部の外縁を容器の側壁に沿った形状としたことを特徴とする請求項４に記載の手提式容器包装箱。
【請求項６】
前記前面板側部と背面板側部のうちの一方の上端近傍に舌片が設けられ、他方の上端近傍には前記舌片を通すための挿通用開口が設けられ、前記前面板側部と背面板側部の上端部同士を係合し得るようにしたことを特徴とする請求項４に記載の手提式容器包装箱。
【請求項７】
前記前面板と背面板のうちの少なくとも１つの板に、これらの板を切り落とすことなく前記窓部を形成するための切れ込みを設け、この切れ込みにより形成される残留片と前記底板との間に残留片の折り畳み用の折曲線を設けて、前記残留片と前記底板とを重ね合わせ得るようにしたことを特徴とする請求項１に記載の手提式容器包装箱。
【請求項８】
前記窓部の一部を切り落とすことなく、互い違いに上下方向から切れ込みを入れることにより蛇腹状に連続した片を残し、この片でもって容器の側壁を保護し得るようにしたことを特徴とする請求項１又は請求項２に記載の手提式容器包装箱。
【発明の詳細な説明】
【０００１】
【発明の属する技術分野】
本発明は、ダンボール等の紙板を材料とし、瓶等の容器を包装する手提式容器包装箱に関するものである。
【０００２】
【従来の技術】
従来より、遮光性と強度の確保を目的として、ビニール袋ではなく、ダンボール等の紙板で瓶等の容器を包装する手提式容器包装箱がある。この種の包装箱において、１枚の紙板を複数の側板、仕切板、接着板等に分け、各接着板を各側板や仕切板に接着させて組み立てることにより、瓶等の容器を包装する手提式容器包装箱が知られている（例えば、特許文献１参照）。
【０００３】
【特許文献１】
実開平７−３７９２１号公報（第５−８頁、第１図、第２図）
【０００４】
【発明が解決しようとする課題】
しかしながら、上記のような従来の手提式容器包装箱では、組み立てる際に接着剤を塗布する必要があるため、組立作業が容易でないという問題があった。
【０００５】
本発明は、上述した問題点を解決するためになされたものであり、接着剤やホッチキスを用いることなく簡単に組み立てることができ、しかも、容器を確実に保持することが可能な手提式容器包装箱を提供することを目的とする。
【０００６】
【課題を解決するための手段】
上記目的を達成するために請求項１の発明は、１枚の紙板を所定の折曲線に沿って折り曲げて組み立てることにより容器を包装する手提式容器包装箱であって、容器を挟持する一対の前面板と背面板、及び前面板と背面板との間に介在されて容器が載置される底板を備え、前面板及び背面板と底板との間には第１の折曲線と第２の折曲線とが設けられており、前面板と背面板とは、それぞれ第１の折曲線と第２の折曲線とに沿って前面板及び背面板を谷折りしたときに容器を挟み込む窓枠を有し、容器の一部を露出させる窓部を持ち、前面板と背面板のうちの一方の板は切起部を持ち、他方の板は切起部を挿通させることができる大きさの手提用開口を持ち、切起部は、容器を包装したときに、一方の板における上端近傍であって、他方の板における手提用開口と略同じ高さとなる位置に配されているものである。
【０００７】
上記構成においては、第１の折曲線と第２の折曲線とに沿って前面板及び背面板を谷折りして、前面板及び背面板の窓枠で容器を挟み込んだ上で、前面板と背面板のうちの一方の板に設けられた切起部を他方の板に設けられた手提用開口から挿通させて折り曲げ、前面板と背面板との上端部同士を係合する。これにより、接着剤やホッチキスを用いることなく包装箱を簡単に組み立てることができ、しかも、前面板及び背面板の窓枠で容器を挟み込んで容器がずれないようにすることができる。
【０００８】
また、前面板と背面板とは、これらの板を谷折りして容器を包装したときに容器の上端部を包装する位置に、それぞれ小窓、及びこの小窓の上端縁に設けられて容器の上端面に当接される切起当接片を持つことが望ましい。これにより、切起当接片で容器の上端面を押圧することができるので、容器のがたつきを抑えることができ、また、容器の上端部を保護することができる。
【０００９】
また、前面板と背面板のうちの一方の板の上端近傍に舌片が設けられ、他方の板の上端近傍には上記舌片を通すための挿通用開口が設けられ、前面板と背面板との上端部同士を係合し得るようにしてもよい。これにより、上記一方の板の上端近傍に設けられた舌片を他方の板の上端近傍に設けられた挿通用開口から挿通させて折り曲げることで、前面板と背面板との上端部同士を確実に係合することができ、従って、組み立て後における包装箱の形状を確実に保持することができる。
【００１０】
また、前面板、背面板及び底板のそれぞれの左右端部に延設して設けられた側板を持ち、前面板、背面板及び底板と上記の各側板との間には、それぞれ第３の折曲線と第４の折曲線とが設けられており、上記の各側板には、それぞれ第１、第２の折曲線にそれぞれ連なる第５、第６の折曲線が設けられており、上記の各側板は、これら第５及び第６の折曲線により前面板に延設する前面板側部と、底板に延設する底板側部と、背面板に延設する背面板側部とに分けられ、前面板側部及び背面板側部には、それぞれ第５の折曲線又は第６の折曲線と４５度以上６０度以下の角度を成す第７の折曲線が配設されており、第３の折曲線と第４の折曲線とに沿って２つの側板を谷折りした上で、第１の折曲線と第２の折曲線とに沿って前面板及び背面板を谷折りして容器を包装したときに、第５の折曲線又は第６の折曲線と第７の折曲線と上記の各側板の外縁とにより形成される三角形状の折込片が包装箱の内側に折り込まれるようにすることが望ましい。これにより、前面板側部、背面板側部及び底板側部が箱の外側に開きにくくすることができるので、前面板側部、背面板側部及び底板側部により容器の側壁を確実に保護することができる。
【００１１】
また、底板側部の外縁を容器の側壁に沿った形状にすることが望ましい。これにより、底板側部の外縁を容器の側壁に当接させることで、箱内における容器の位置決めを行うことができる。
【００１２】
また、前面板側部と背面板側部のうちの一方の上端近傍に舌片が設けられ、他方の上端近傍には舌片を通すための挿通用開口が設けられ、前面板側部と背面板側部の上端部同士を係合し得るようにすることが望ましい。これにより、上記一方の側部の上端近傍に設けられた舌片を他方の側部の上端近傍に設けられた挿通用開口から挿通させて折り曲げることで、前面板側部と背面板側部との上端部同士を確実に係合することができ、従って、組み立て後における包装箱の形状を確実に保持することができる。
【００１３】
また、前面板と背面板のうちの少なくとも１つの板に、これらの板を切り落とすことなく窓部を形成するための切れ込みを設け、この切れ込みにより形成される残留片と底板との間に残留片の折り畳み用の折曲線を設けて、残留片と底板とを重ね合わせ得るようにすることが望ましい。これにより、残留片で底板を補強することができるので、瓶の重みで箱が型崩れすることを防ぐことができる。また、残留片を緩衝板として用いることができるので、容器の破損を防止することができる。
【００１４】
また、窓部の一部を切り落とすことなく、互い違いに上下方向から切れ込みを入れることにより蛇腹状に連続した片を残し、この片でもって容器の側壁を保護し得るようにすることが望ましい。これにより、容器の破損を防ぐことができる。
【００１５】
【発明の実施の形態】
以下、本発明を具体化した実施形態について図面を参照して説明する。本実施形態の手提式容器包装箱は、容器の一種であるガラス瓶の包装に用いられるものであり、１枚のダンボール紙（紙板）を所定の折曲線に沿って折り曲げて組み立てることによりガラス瓶を包装するものである。第１の実施形態による手提式容器包装箱について図１乃至図４を参照して説明する。図１は組み立て後における手提式容器包装箱の外観を示し、図２は組み立て前の展開した状態における手提式容器包装箱を示す。また、図３と図４とは、それぞれ組み立て後における手提式容器包装箱の前面と側面とを示す。この手提式容器包装箱１（以下、「包装箱」と略す）は、３本のガラス瓶の包装に用いられるものであり、主にガラス瓶を挟持する一対の前面板２と背面板３、及び前面板２と背面板３との間に介在されてガラス瓶が載置される底板４から構成される。
【００１６】
上記の前面板２及び背面板３は、図３に示されるように、それぞれガラス瓶３１の一部を露出させる窓部１２を有している。これらの窓部１２の窓枠１２ａは、図２に示される折曲線２７ａ（第１の折曲線）と折曲線２７ｂ（第２の折曲線）とに沿って前面板２及び背面板３を谷折りしたときに、各ガラス瓶３１の側壁を挟み込んで、これらのガラス瓶３１を保持する。また、前面板２と背面板３は、上記のようにこれらの板を谷折りしてガラス瓶３１を包装したときにガラス瓶３１の上端部を包装する位置に、それぞれ各ガラス瓶３１に対応した小窓１１、及びこれらの小窓１１の上端縁に設けられて各ガラス瓶３１の上端面に当接される切起当接片１０を持つ。
【００１７】
また、上記の前面板２と背面板３とは、それぞれ切起部２１と手提用開口７とを持ち、この手提用開口７は切起部２１を挿通させることができる大きさに形成されている。切起部２１は、切れ込み２０と折曲線２２とにより形成されており、ガラス瓶３１を包装したときに、前面板２における上端近傍であって、背面板３における手提用開口７と略同じ高さとなる位置に配されている。また、前面板２の上端近傍には、切れ込み１８と折曲線１７とにより形成される舌片８及び舌片９が設けられており、ガラス瓶３１を包装したときに背面板３における上端近傍となる位置には、舌片８及び舌片９を通すための挿通用開口２９が設けられている。これらの舌片８，９及び挿通用開口２９は、前面板２と背面板３との係合に用いられる。
【００１８】
上記の前面板２、底板４、及び背面板３の左右端部には、それぞれ前面板側部５ａ、底板側部６及び背面板側部５ｂが延設されており、また、前面板２、底板４、背面板３と上記の各側部５ａ，６，５ｂとの間には、それぞれ折曲線１４ａ，２６，１４ｂが設けられている。図２中の左側と右側における折曲線１４ａ，２６，１４ｂを結んだ線が、請求項４における第３の折曲線と第４の折曲線とに相当する。また、上記の前面板側部５ａと底板側部６との間、及び背面板側部５ｂと底板側部６との間には、折曲線２７ａ又は折曲線２７ｂに連なる折曲線２４（請求項４における第５及び第６の折曲線に相当）が設けられている。
【００１９】
上記の前面板側部５ａ及び背面板側部５ｂには、それぞれ折曲線２４と５５度の角度を成す折曲線１５（請求項４における第７の折曲線）が配設されている。この折曲線１５と折曲線２４と側部外縁３０（請求項４における各側板の外縁）とにより形成される三角形状の折込片２５は、折曲線１４ａと折曲線２６と折曲線１４ｂとを結んだ線に沿って前面板側部５ａと底板側部６と背面板側部５ｂとを矢印Ａ及び矢印Ｂに示す方向に谷折りした上で、折曲線２７ａ及び折曲線２７ｂに沿って前面板２及び背面板３を谷折りしてガラス瓶３１を包装したときに、包装箱１の内側に折り込まれるように構成されている。また、切起当接片１０の上端には、折曲線１９が設けられており、上記のようにしてガラス瓶３１を包装したときに、切起当接片１０が、図４に示されるガラス瓶３１の上端面３１ａにより押圧されて折曲線１９に沿って上方に折り曲げられるように構成されている。さらにまた、底板側部６の外縁１６は、ガラス瓶３１の側壁に沿った形状となっており、上記のようにしてガラス瓶３１を包装したときに、図３の左側及び右側に配されたガラス瓶３１に対して、図４に示されるように、底板側部外縁１６により位置決めを行うことができるように構成されている。
【００２０】
次に、上記の包装箱１の組み立て方について説明する。図２に示される展開した状態の底板４上の左右部及び中央部に都合３本のガラス瓶３１を載置して、前面板側部５ａと底板側部６と背面板側部５ｂとを折曲線１４ａと折曲線２６と折曲線１４ｂとを結んだ線に沿って矢印Ａ，Ｂに示す方向に谷折りした上で、前面板２及び背面板３を折曲線２７ａ及び折曲線２７ｂに沿って谷折りして、前面板２及び背面板３の窓枠１２ａでガラス瓶３１を挟み込む。そして、前面板２に設けられた切起部２１を背面板３に設けられた手提用開口７から挿通させて折り曲げ、前面板２と背面板３との上端部同士を係合する。また、前面板２の上端近傍に設けられた舌片８及び舌片９を背面板３の上端近傍に設けられた挿通用開口２９から挿通させて折曲線１７に沿って折り曲げることで、前面板２と背面板３との上端部同士の係合状態を保持できるようにする。
【００２１】
上記のように、第１の実施形態による包装箱１によれば、前面板２と背面板３とに、それぞれ各ガラス瓶３１を挟み込む各窓枠１２ａを設け、また、切起部２１を、ガラス瓶３１を包装したときに、前面板２における上端近傍であって、背面板３における手提用開口７と略同じ高さとなる位置に配した。これにより、前面板２及び背面板３の各窓枠１２ａで各ガラス瓶３１を挟み込んだ上で、切起部２１を手提用開口７から挿通させて折り曲げ、前面板２と背面板３との上端部同士を係合することができる。従って、接着剤やホッチキスを用いることなく簡単に組み立てることができ、しかも、前面板２及び背面板３の各窓枠１２ａで各ガラス瓶３１を挟み込んで各ガラス瓶３１を確実に保持することができる。また、接着剤やホッチキスを用いる必要がなくなったので、組立に要するコストの削減を図ることができる。さらにまた、消費者に上記の各窓部１２から各ガラス瓶３１に印刷された商品名等を見せることができるので、消費者に対する広告効果を高めることができる。
【００２２】
また、前面板２及び背面板３が、これらの板２，３を谷折りしてガラス瓶３１を包装したときにガラス瓶３１の上端部を包装する位置に、それぞれ小窓１１及び切起当接片１０を持つようにしたことにより、図４に示されるように、切起当接片１０でガラス瓶３１の上端面３１ａを押圧することができるので、包装するガラス瓶３１のサイズに多少のばらつきがある場合でも、ガラス瓶３１のがたつきを抑えてガラス瓶３１を確実に保持することができ、また、ガラス瓶３１の上端部を保護することができる。
【００２３】
また、前面板２の上端近傍に舌片８，９を設け、背面板３の上端近傍には上記の舌片８，９を通すための挿通用開口２９を設けたことにより、舌片８，９を挿通用開口２９から挿通させて折り曲げ、前面板２と背面板３との上端部同士を確実に係合することができる。これにより、組み立て後における包装箱１の形状を確実に保持することができる。
【００２４】
また、前面板側部５ａ及び背面板側部５ｂに、それぞれ折曲線２４と５５度の角度を成す折曲線１５を設けて、ガラス瓶３１を包装したときに、折曲線１５と折曲線２４と側部外縁３０とにより形成される三角形状の折込片２５が包装箱１の内側に折り込まれるようにすることにより、前面板側部５ａ、背面板側部５ｂ及び底板側部６が包装箱１の外側に開きにくくすることができる。これにより、前面板側部５ａ、背面板側部５ｂ及び底板側部６によりガラス瓶３１の側壁を確実に保護することができ、また、上記の各側部５ａ，５ｂ，６により容器が包装箱１の外に飛び出すのを防ぐことができる。
【００２５】
また、底板側部６の外縁１６をガラス瓶３１の側壁に沿った形状にすることにより、包装箱１内におけるガラス瓶３１の位置決めを行うことができる。これにより、ガラス瓶３１を確実に保持することができる。
【００２６】
次に、第２の実施形態による包装箱１について図５を参照して説明する。図５は、上記第１の実施形態の図２に対応する図であり、組み立て前の展開した状態における包装箱１を示す。図において、第１の実施形態の包装箱１と同等の部材には、同じ番号を付している。図に示されるように、第２の実施形態の包装箱１は第１の実施形態の包装箱１と略同様な構成を有しており、第１の実施形態の包装箱１が３本のガラス瓶３１の包装箱であるのに対して、第２の実施形態の包装箱１は２本のガラス瓶３１の包装箱である。
【００２７】
次に、第３の実施形態による包装箱１について図６を参照して説明する。図６は、上記第１の実施形態の図２に対応する図であり、組み立て前の展開した状態における包装箱１を示す。図において、第１の実施形態の包装箱１と同等の部材には、同じ番号を付している。図に示されるように、第３の実施形態の包装箱１は第１の実施形態の包装箱１と略同様な構成を有しており、第１の実施形態の包装箱１が３本のガラス瓶３１の包装箱であるのに対して、第３の実施形態の包装箱１は１本のガラス瓶３１の包装箱である。また、第１の実施形態の包装箱１では、舌片８及び舌片９を前面板２の上端近傍に設け、これらの舌片８，９を通すための挿通用開口２９を背面板３の上端近傍に設けたが、第３の実施形態の包装箱１では、舌片８及び舌片９を前面板側部５ａの上端部４１に設け、これらの挿通用開口２９を背面板側部５ｂの上端部４２に設けている。
【００２８】
次に、第４の実施形態による包装箱１について図７乃至図１０を参照して説明する。図７は組み立て後における包装箱１の外観を示し、図８は組み立て前の展開した状態における包装箱１を示す。また、図９と図１０とは、それぞれ組み立て後における包装箱１の前面と側面とを示す。図において、第３の実施形態の包装箱１と同等の部材には、同じ番号を付している。これらの図に示されるように、第４の実施形態の包装箱１は、第３の実施形態の包装箱１を構成する部材に加えて、ガラス瓶３１の側壁を保護するための緩衝片５１、及び底板４を補強するための残留片６２を有している。上記の緩衝片５１は、前面板２及び背面板３の窓部の一部を切り落とすことなく、互い違いに上下方向から切れ込み５１ａを入れることにより形成した蛇腹状に連続した片であり、この切れ込み５１ａの先端部５１ｂは、緩衝片５１が切れ込み５１ａに沿って破れるのを防ぐために丸穴のような形状となっている。また、図８に示されるように、緩衝片５１と前面板２及び背面板３との境界線上の切れ込み５５は、緩衝片５１上における他の切れ込み５１ａよりも短くなっている。これは、上記の境界線上におけるガラス瓶３１による荷重が、緩衝片５１上の他の箇所におけるガラス瓶３１による荷重よりも大きくなるため、緩衝片５１が切れ込み５５に沿って破れるのを防ぐ必要があるからである。
【００２９】
上記の残留片６２は、窓部を形成するための切れ込み６０と折曲線６１とにより形成されるもので、折曲線６１に沿って下方に折り曲げられることにより底板４と重ね合わせ得る構成となっている。
【００３０】
上記の前面板２及び背面板３における緩衝片５１の上方及び下方には、図７乃至図９に示されるように、切り欠き５２，５３が設けられており、また、図８に示されるように、前面板２における残留片６２の左下及び右下には、切り欠き６５が設けられている。
【００３１】
上記のような構成をした包装箱１を組み立てる際には、図８に示される折曲線６１に沿って残留片６２を下方に折り曲げ、底板４と重ね合わせた上で、前面板２及び背面板３を折曲線２７ａ及び折曲線２７ｂに沿って谷折りして、残留片６２における左右の係止部６３を背面板３側に設けられた左右の切れ込み６４の間に挟み込んで係止する。
【００３２】
上記のように、第４の実施形態による包装箱１においては、前面板２に、板を切り落とすことなく窓部を形成するための切れ込み６０を設け、この切れ込み６０により形成される残留片６２と底板４との間に残留片６２の折り畳み用の折曲線６１を設けて、残留片６２と底板４とを重ね合わせ得るようにした。これにより、残留片６２で底板４を補強することができるので、ガラス瓶３１の重みで包装箱１が型崩れすることを防ぐことができ、また、残留片６２を緩衝板として用いることができるので、ガラス瓶３１の破損を防止することがきる。また、窓部の一部を切り落とすことなく、互い違いに上下方向から切れ込み５１ａを入れることにより蛇腹状に連続した緩衝片５１を残し、この緩衝片５１でもってガラス瓶３１の側壁を保護し得るようにしたことにより、ガラス瓶３１の破損を防ぐことができる。
【００３３】
次に、第５の実施形態による包装箱１について図１１を参照して説明する。図１１は、上記第４の実施形態の図８に対応する図であり、組み立て前の展開した状態における包装箱１を示す。図において、第４の実施形態の包装箱１と同等の部材には、同じ番号を付している。図に示されるように、第５の実施形態の包装箱１は第４の実施形態の包装箱１と略同様な構成を有しており、第４の実施形態の包装箱１が前面板２側にのみ底板４の補強用の残留片６２を有するのに対して、第５の実施形態の包装箱１は背面板３側にも底板４の補強用の残留片７０を有している。
【００３４】
上記の残留片７０は、窓部を形成するための切れ込み７５と折曲線６１とにより形成されるもので、折曲線６１に沿って下方に折り曲げられることにより底板４及び残留片６２と重ね合わせ得る構成となっている。また、図に示されるように、背面板３における残留片７０の左下及び右下には、切り欠き７４が設けられている。
【００３５】
上記の包装箱１を組み立てる際には、図１１に示される折曲線６１に沿って残留片７０を図示で上方に折り曲げて、底板４と重ね合わせた上で、折曲線６１に沿って残留片６２を下方に折り曲げて、残留片７０と重ね合わせる。そして、前面板２及び背面板３を折曲線２７ａ及び折曲線２７ｂに沿って谷折りして、残留片７０における左右の係止部７２を前面板２側に設けられた左右の切れ込み７１の間に挟み込んで残留片７０を係止すると共に、残留片６２における左右の係止部６３を背面板３側に設けられた左右の切れ込み６４の間に挟み込んで残留片６２を係止する。
【００３６】
上記のように、第５の実施形態による包装箱１においては、残留片６２と、残留片７０とで底板４を二重に補強することができるので、ガラス瓶３１の重みで包装箱１が型崩れすることを確実に防ぐことができる。
【００３７】
次に、第６の実施形態による包装箱１について図１２を参照して説明する。図において、第５の実施形態の包装箱１と同等の部材には、同じ番号を付している。図に示されるように、第６の実施形態の包装箱１は第５の実施形態の包装箱１と略同様な構成を有しており、第５の実施形態の包装箱１が１本のガラス瓶３１の包装箱であるのに対して、第６の実施形態の包装箱１は２本のガラス瓶３１の包装箱である。
【００３８】
次に、第７の実施形態による包装箱１について図１３を参照して説明する。図において、第１乃至第６の実施形態の包装箱１と同等の部材には、同じ番号を付している。図に示されるように、第７の実施形態の包装箱１は、第１の実施形態による包装箱１の前面板２及び背面板３に、第４乃至第６の実施形態の包装箱１と同様な緩衝片５１を設けたものである。
【００３９】
次に、第８の実施形態による包装箱１について図１４を参照して説明する。図において、第１乃至第７の実施形態の包装箱１と同等の部材には、同じ番号を付している。図に示されるように、第８の実施形態の包装箱１は、第７の実施形態による包装箱１の前面板２に、第４乃至第６の実施形態による包装箱１と同様な残留片６２を設けたものである。第８の実施形態の包装箱１には、第４乃至第６の実施形態による包装箱１と異なり、緩衝片５１と残留片６２との間に切り欠き５３が設けられておらず、切り込み８１のみが設けられている。
【００４０】
次に、第９の実施形態による包装箱１について図１５及び図１６を参照して説明する。これらの図において、第１乃至第８の実施形態の包装箱１と同等の部材には、同じ番号を付している。第９の実施形態の包装箱１は、第８の実施形態による包装箱１の背面板３に、各ガラス瓶３１の側壁の破損を防ぐための緩衝舌片９１を配設したものである。この緩衝舌片９１は、図１５に示されるように、背面板３における左側及び右側の緩衝片５１の上方に配されており、切れ込み９２と折曲線９３とより形成される。本包装箱１により３本のガラス瓶３１を包装する際には、図１５中の右側の緩衝舌片９１を折曲線９３に沿って矢印Ａに示す方向に折り曲げ、左側の緩衝舌片９１を折曲線９３に沿って矢印Ｂに示す方向に折り曲げる。そして、図１６に示されるように、３本のガラス瓶３１を底板４上に載置して、上記の緩衝舌片９１を各ガラス瓶３１の間に挟み込みながら、前面板２と背面板３とを矢印Ｃ及び矢印Ｄに示される方向に折り曲げて、３本のガラス瓶３１を包装する。
【００４１】
上記のように、第９の実施形態による包装箱１においては、緩衝舌片９１を包装箱１の内側に折り込んで、各ガラス瓶３１の間に挟み込めるようにしたことにより、この緩衝舌片９１で各ガラス瓶３１の側壁を保護することができる。
【００４２】
本発明は、上記実施形態に限られるものではなく、様々な変形が可能である。例えば、上記の各実施形態では、前面板２、底板４、及び背面板３の左右端部に、それぞれ前面板側部５ａ、底板側部６及び背面板側部５ｂが延設されている場合の例を示したが、これらの各側部５ａ，５ｂ，６は必須の部材ではなく、窓部及び小窓のみによりガラス瓶を挟み込んで保持するようにしてもよい。また、上記の各実施形態では、前面板側部５ａ及び背面板側部５ｂにおける折曲線２４と折曲線１５とが５５度の角度を成すように設定したが、この角度は５５度に限られず、４５度以上６０度以下であればよい。
【００４３】
【発明の効果】
以上のように本発明によれば、前面板と背面板とに、それぞれ前面板及び背面板を谷折りしたときに容器を挟み込む窓枠を設け、また、切起部を、容器を包装したときに、一方の板における上端近傍であって、他方の板における手提用開口と略同じ高さとなる位置に配したことにより、前面板及び背面板の窓枠で容器を挟み込んだ上で、切起部を手提用開口から挿通させて折り曲げ、前面板と背面板との上端部同士を係合することができる。これにより、接着剤やホッチキスを用いることなく包装箱を簡単に組み立てることができ、しかも、前面板及び背面板の窓枠で容器を挟み込んで容器を確実に保持することができる。また、接着剤やホッチキスを用いる必要がなくなったので、組立に要するコストの削減を図ることができる。さらにまた、前面板と背面板とに容器の一部を露出させる窓部を設けたことにより、消費者にこれらの窓部から容器に印刷された商品名等を見せることができるので、消費者に対する広告効果を高めることができる。
【００４４】
また、前面板と背面板とが、これらの板を谷折りして容器を包装したときに容器の上端部を包装する位置に、それぞれ小窓及び切起当接片を持つようにしたことにより、切起当接片で容器の上端面を押圧することができるので、包装する容器のサイズに多少のばらつきがある場合でも、容器のがたつきを抑えて容器を保持することができ、また、容器の上端部を保護することができる。
【００４５】
また、前面板と背面板のうちの一方の板の上端近傍に舌片を設け、他方の板の上端近傍には上記舌片を通すための挿通用開口を設けることにより、舌片を挿通用開口から挿通させて折り曲げ、前面板と背面板との上端部同士を確実に係合することができる。これにより、組み立て後における包装箱の形状を確実に保持することができる。
【００４６】
また、前面板側部及び背面板側部に、それぞれ第５の折曲線又は第６の折曲線と４５度以上６０度以下の角度を成す第７の折曲線を設けて、容器を包装したときに、第５の折曲線又は第６の折曲線と第７の折曲線と上記の各側板の外縁とにより形成される三角形状の折込片が包装箱の内側に折り込まれるようにすることにより、前面板側部、背面板側部及び底板側部が箱の外側に開きにくくすることができる。これにより、前面板側部、背面板側部及び底板側部により容器の側壁を確実に保護することができ、また、上記の各側部により容器が箱の外に飛び出すのを防ぐことができる。
【００４７】
また、底板側部の外縁を容器の側壁に沿った形状にすることにより、箱内における容器の位置決めを行うことができる。これにより、容器を確実に保持することができる。
【００４８】
また、前面板側部と背面板側部のうちの一方の上端近傍に舌片を設け、他方の上端近傍には上記舌片を通すための挿通用開口を設けることにより、舌片を挿通用開口から挿通させて折り曲げ、前面板と背面板との上端部同士を確実に係合することができる。これにより、組み立て後における包装箱の形状を確実に保持することができる。
【００４９】
また、前面板と背面板のうちの少なくとも１つの板に、これらの板を切り落とすことなく窓部を形成するための切れ込みを設け、この切れ込みにより形成される残留片と底板との間に残留片の折り畳み用の折曲線を設けて、残留片と底板とを重ね合わせ得るようにすることにより、残留片で底板を補強することができる。これにより、容器の重みで箱が型崩れすることを防ぐことができ、また、残留片を緩衝板として用いて容器の破損を防ぐことができる。
【００５０】
また、窓部の一部を切り落とすことなく、互い違いに上下方向から切れ込みを入れることにより蛇腹状に連続した片を残し、この片でもって容器の側壁を保護し得るようにすることにより、容器の破損を防ぐことができる。
【図面の簡単な説明】
【図１】本発明の第１の実施形態による手提式容器包装箱の組み立て後における外観図。
【図２】上記手提式容器包装箱の展開図。
【図３】上記手提式容器包装箱の組み立て後における前面図。
【図４】上記手提式容器包装箱の組み立て後における側面図。
【図５】本発明の第２の実施形態による手提式容器包装箱の展開図。
【図６】本発明の第３の実施形態による手提式容器包装箱の展開図。
【図７】本発明の第４の実施形態による手提式容器包装箱の組み立て後における外観図。
【図８】上記手提式容器包装箱の展開図。
【図９】上記手提式容器包装箱の組み立て後における前面図。
【図１０】上記手提式容器包装箱の組み立て後における側面図。
【図１１】本発明の第５の実施形態による手提式容器包装箱の展開図。
【図１２】本発明の第６の実施形態による手提式容器包装箱の展開図。
【図１３】本発明の第７の実施形態による手提式容器包装箱の展開図。
【図１４】本発明の第８の実施形態による手提式容器包装箱の展開図。
【図１５】本発明の第９の実施形態による手提式容器包装箱の展開図。
【図１６】上記手提式容器包装箱によりガラス瓶を包装する様子を示す図。
【符号の説明】
１　　　手提式容器包装箱
２　　　前面板
３　　　背面板
４　　　底板
５ａ　　前面板側部
５ｂ　　背面板側部
６　　　底板側部
７　　　手提用開口
８　　　舌片
９　　　舌片
１０　　切起当接片
１１　　小窓
１２　　窓部
１２ａ　窓枠
１４ａ　折曲線（第３の折曲線、第４の折曲線）
１４ｂ　折曲線（第３の折曲線、第４の折曲線）
１５　　折曲線（第７の折曲線）
１６　　底板側部外縁
２１　　切起部
２４　　折曲線（第５の折曲線、第６の折曲線）
２５　　折込片
２６　　折曲線（第３の折曲線、第４の折曲線）
２７ａ　折曲線（第１の折曲線）
２７ｂ　折曲線（第２の折曲線）
２９　　挿通用開口
３０　　側部外縁（各側板の外縁）
３１　　ガラス瓶（容器）
３１ａ　上端面（容器の上端面）
５１　　緩衝片（蛇腹状に連続した片）
５１ａ　切れ込み
６０　　切れ込み
６１　　折曲線
６２　　残留片
７０　　残留片
７５　　切れ込み
【図１】
2004123104.tif 000003
【図２】
2004123104.tif 000004
【図３】
2004123104.tif 000005
【図４】
2004123104.tif 000006
【図５】
2004123104.tif 000007
【図６】
2004123104.tif 000008
【図７】
2004123104.tif 000009
【図８】
2004123104.tif 000010
【図９】
2004123104.tif 000011
【図１０】
2004123104.tif 000012
【図１１】
2004123104.tif 000013
【図１２】
2004123104.tif 000014
【図１３】
2004123104.tif 000015
【図１４】
2004123104.tif 000016
【図１５】
2004123104.tif 000017
【図１６】
2004123104.tif 000018